(57)【要約】【課題】メンテナンス性が改良された空気調和機を実現する。【解決手段】空気調和機（１）は、細長の吹き出し口（Ｂ）において、風向板（縦ルーバ１２２）を有した複数の風向調整ユニット（１２０）の間に設けられた駆動ユニットを有し、駆動ユニットが、着脱可能に設けられた前記複数の風向調整ユニットの風向板を回転させる構成を備える。【選択図】図１
2020098051.tif 000002
【特許請求の範囲】
【請求項１】
気流を吹き出す細長の吹き出し口と、
前記吹き出し口に、着脱可能に設けられた複数の風向調整ユニットと、
前記吹き出し口の、前記複数の風向調整ユニットの間に設けられた駆動ユニットと、を備え、
前記風向調整ユニットは、前記吹き出し口の長手方向の前記気流の向きを調整するための複数の風向板を有し、
前記駆動ユニットが、前記複数の風向調整ユニットの前記複数の風向板を回転させることを特徴とする、空気調和機。
【請求項２】
前記風向調整ユニットは、端部に、前記複数の風向板に回動力を伝える回動軸を有し、
前記駆動ユニットは、回動力を出力する伝達軸を有し、
前記回動軸が、前記伝達軸に係合することを特徴とする、請求項１に記載の空気調和機。
【請求項３】
前記複数の風向調整ユニットは、互いに入れ替えて前記吹き出し口に装着可能であることを特徴とする、請求項２に記載の空気調和機。
【請求項４】
前記風向調整ユニットは、前記回動軸を両方の端部に有し、
前記駆動ユニットは、前記伝達軸を複数有し、それぞれの伝達軸が異なる前記風向調整ユニットの前記回動軸に係合することを特徴とする、請求項２または３に記載の空気調和機。
【請求項５】
前記回動軸は、前記複数の風向板のうちの端部に設けられた風向板の回転軸と共通であることを特徴とする、請求項２から４のいずれか１項に記載の空気調和機。
【請求項６】
前記風向調整ユニットは、前記複数の風向板が設置される支持板を有し、
前記複数の風向板のうちの端部に設けられた風向板以外の風向板は、軸部と、軟部と、羽根部とを有し、
前記軸部の基部が前記支持板に固定されており、
前記羽根部は前記軟部を介して前記軸部に接続されており、
前記軟部が湾曲することにより、前記羽根部が回転することを特徴とする、請求項５に記載の空気調和機。
【請求項７】
前記風向調整ユニットは、前記複数の風向板が設置される支持板と、前記支持板の前記複数の風向板が設置される面と反対側の面から突出する突起部と、を有し、
前記吹き出し口の前記風向調整ユニットの設置部には、前記突起部が嵌り込む穴が設けられていることを特徴とする、請求項１から６のいずれか１項に記載の空気調和機。
【請求項８】
前記風向調整ユニットは、前記複数の風向板が設置される支持板と、前記支持板の前記複数の風向板が設置される面と反対側の面から突出する突起部と、を有し、
前記吹き出し口の前記風向調整ユニットの設置部には、前記突起部により押下されるスイッチが設けられていることを特徴とする、請求項１から７のいずれか１項に記載の空気調和機。
【発明の詳細な説明】
【技術分野】
【０００１】
本発明は空気調和機に関する。
【背景技術】
【０００２】
室内機に気流を発生させる室内ファンを備え、細長い形状の吹き出し口から、気流を部屋内に向けて吹き出す空気調和機が知られている。吹き出し口には、吹き出し口長手方向についての気流の向きを調整する風向板（縦ルーバ）を複数備えた風向調整ユニット（縦ルーバユニット）が設けられる。また、吹き出し口には、気流の向きを吹き出し口長手方向と直交する方向に調整する気流パネルも設けられる。縦ルーバや気流パネルはそれぞれの駆動部により与えられた駆動力により所要の向きに回動でき、自動若しくは、ユーザの選択によって、気流の向きを適宜調整することができるように構成されている。風向調整ユニットを着脱可能とし、ユーザが取り外せて清掃を行えるようにした、空気調和機も提案されている。
【先行技術文献】
【特許文献】
【０００３】
【特許文献１】特開２０１８−４８７９１号公報
【発明の概要】
【発明が解決しようとする課題】
【０００４】
吹き出し口長手方向についての気流の向きを調整するため、縦ルーバは、吹出し口の長手方向に沿って多数配置される必要がある。またこれら複数の縦ルーバは、そろって同じ向きに回動する必要がある。そのため、風向調整ユニットはその構成が複雑で大きいものとなりがちであった。よって、風向調整ユニットは、ユーザがより簡単に取り外せ、容易に清掃が可能なように、更に取扱い易い構造であることが望まれる。
【０００５】
本発明の一態様は、空気調和機本体から着脱可能で、ユーザの取り扱いが容易な風向調整ユニットを備える、メンテナンス性が改良された空気調和機を実現することを目的とする。
【課題を解決するための手段】
【０００６】
上記の課題を解決するために、本発明の一態様に係る空気調和機は、気流を吹き出す細長の吹き出し口と、前記吹き出し口に、着脱可能に設けられた複数の風向調整ユニットと、前記吹き出し口の、前記複数の風向調整ユニットの間に設けられた駆動ユニットと、を備え、前記風向調整ユニットは、前記吹き出し口の長手方向の前記気流の向きを調整するための複数の風向板を有し、前記駆動ユニットが、前記複数の風向調整ユニットの前記複数の風向板を回転させる構成を備えている。
【発明の効果】
【０００７】
本発明の一態様によれば、空気調和機本体から着脱可能で、ユーザの取り扱いが容易な風向調整ユニットを備える、メンテナンス性が改良された空気調和機が実現できる。
【図面の簡単な説明】
【０００８】
【図１】本発明の実施形態１に係る空気調和機を示す斜視図であり、気流パネル及び風向調整ユニットを取り外した状態を示している。
【図２】本発明の実施形態１に係る空気調和機を示す斜視図であり、気流パネルを取り外した状態を示している。
【図３】本発明の実施形態１に係る空気調和機を示す斜視図であり、気流パネルが閉じた状態を示している。
【図４】本発明の実施形態１に係る空気調和機を示す斜視図であり、気流パネルが開いた状態を示している。
【図５】本発明の実施形態１に係る空気調和機の分解図である。
【図６】（ａ）は本発明の実施形態１に係る空気調和機の吹き出し口モジュールの分解図であり、（ｂ）はその図の一部を拡大した部分拡大図である。
【図７】本発明の実施形態１に係る空気調和機の吹き出し口モジュールを示す斜視図である。
【図８】（ａ）は本発明の実施形態１に係る空気調和機の風向調整ユニットを示す斜視図であり、（ｂ）はその上面図、（ｃ）はその下面図である。
【図９】本発明の実施形態１に係る空気調和機の駆動ユニットの可動部品を示す図である。
【図１０】本発明の実施形態１に係る空気調和機の吹き出し口モジュールの拡大断面図である。
【図１１】（ａ）は本発明の実施形態２に係る空気調和機を示す斜視図であり、（ｂ）はその図の一部を拡大した部分拡大図である。
【図１２】本発明の実施形態３に係る空気調和機を示す斜視図である。
【発明を実施するための形態】
【０００９】
〔実施形態１〕
以下、本発明の実施形態１が、図１〜図１０に基づいて詳細に説明される。本実施形態では、図３の外観図に示されるように、室内機と室外機とからなるセパレートタイプの壁掛け型空気調和装置の室内機である空気調和機１が例示として説明される。但し、本発明の一態様に係る空気調和機では、空調された気流の吹き出し口Ｂが、所定方向に延伸した細長の形状を有し、当該所定方向の正方向および負方向に風向きを調整する複数の風向板が、当該所定方向に沿って配列された風向調整ユニットを備えていればよい。従って、空気調和機は、天井内据え付け型、床置き型でもよいし、室外機を有しない室内専用機型（窓取付型エアコン等）でもよい。
【００１０】
なお各図面には、空気調和機１の様々な部材が示されているが、実施形態とは関係しない部材については説明が省略される。これらの説明が省略される部材は、公知のものと同様であると理解されてよい。また、各図面は、各部材の形状、構造、および位置関係等を示す構成を概略的に説明することを目的としたものであり、本発明の一態様に係る空気調和機が、各図面に示された構成に限定されるものではない。これらの点は、他の実施形態についても同様である。
【００１１】
（空気調和機１の概要）
初めに、図１〜図５を参照して、本実施形態の空気調和機１の概略的な構成が説明される。
【００１２】
図３は、空気調和機１の外観を示す斜視図であり、気流の吹き出し口Ｂが閉じられている状態を示す。図４は、空気調和機１の外観を示す斜視図であり、空調運転を実施し、気流パネル１４０が開き、気流の吹き出し口Ｂが外部から視認できる状態を示す。空気調和機１は、前側キャビネット２０、リア側キャビネット３０、吹き出し口モジュール１０とを備え、これらにより空気調和機１の筐体が構成されている。図５は、空気調和機１を、前側キャビネット２０、リア側キャビネット３０、吹き出し口モジュール１０とに分解して示す分解図である。図５には、空気調和機１内部に取り付けられる貫流ファン４０も併せて示されている。
【００１３】
リア側キャビネット３０は、空調対象となる部屋の壁面に固定される。空気調和機１は全体として長方形の箱状であり、その長手方向に細長い吹き出し口Ｂが設けられている。各図に示されるように、吹き出し口の長手方向がＸ方向であり、ＸＺ平面が、リア側キャビネット３０が取り付けられる壁面に平行であるようにＹ方向、Ｚ方向が定義される。Ｙ軸の方向は、取り付け壁面から空気調和機１の正面に向かう方向である。空気調和機１が、鉛直面に平行な壁に、Ｘ軸が水平になるように取り付けられた時に、Ｚ軸方向は、鉛直方向上向きとなる。本願において、吹き出し口Ｂの長手方向（Ｘ軸に平行）が横方向若しくは左右方向と称され、Ｘ軸の向きが左、Ｘ軸の向きに逆の向きが右とされる。また、Ｙ軸の向きが手前向き、Ｙ軸に逆の向きが奥向きとも称される。ユーザが吹き出し口Ｂ（空気調和機１の正面）に正対したときに、ユーザから見て、それぞれ手前側、奥側に相当するからである。
【００１４】
更に本願においては、記述を分かりやすくするために、Ｚ軸に平行な方向が上下方向、Ｚ軸の向きが上、Ｚ軸の向きに逆の向きが下と称されることがある。これは、空気調和機１が、鉛直面に平行な壁に、Ｘ軸が水平になるように取り付けられたときに、理解がしやすいための記述方法であり、空気調和機１の取り付け方法が、この条件に制限されるものではない。
【００１５】
図３等に示されるように、前側キャビネット２０及びリア側キャビネット３０の上方（Ｚ軸正方向）には、多数の桟とその間の隙間からなる空気の取り入れ口Ｉが設けられている。貫流ファン（クロスフローファン）４０は、図５に示されるように、横軸（回転軸がＸ軸に平行）円筒形状の、気流を発生させるファンである。貫流ファン４０は、空気を吸入および送出するための複数のブレードを、周方向に備えている。図示されないが、貫流ファン４０の上側周囲を囲むように、熱交換器が設けられる。貫流ファン４０が回転することで、取り入れ口Ｉから空気調和機１内へ空気を吸い込み、吸い込んだ空気を熱交換器を通して吹き出し口Ｂから室内へ吹き出す気流が作り出される。なお、気流を発生させるためのファンは、貫流ファンに限られず、プロペラファンやシロッコファンなど、他の形式のファンであってもよい。
【００１６】
図５に示されるように、吹き出し口モジュール１０は、前側キャビネット２０の下（Ｚ軸負方向）に設けられる。吹き出し口モジュール１０は、吹き出し口Ｂを構成する枠体１００に、縦ルーバ１２２（風向板）を複数備えた風向調整ユニット１２０、気流パネル１４０等が組み付けられて構成される。吹き出し口モジュール１０の構造の詳細については後述される。室内へ吹き出す気流は、気流パネル１４０及び風向調整ユニット１２０の縦ルーバ１２２によって方向付けられる。
【００１７】
気流パネル１４０は、空気調和機１の運転状態に応じて、空気調和機１内の制御装置（不図示）によって開閉が制御される。図３に示されるように、気流パネル１４０が閉じられた場合には、気流の吹き出し口Ｂは塞がれ、気流パネル１４０は、空気調和機１の外装パネルとしての役割を果たす。気流パネル１４０がＸ軸の周りの方向に回転し、開かれた場合には、図４に示されるように、気流の流路としての吹き出し口Ｂが露出する。また、気流パネル１４０はその回転角度により、吹き出し口Ｂから室内へ吹き出す気流の上下方向（Ｚ軸に平行）の向きを調整する。
【００１８】
図２は、空気調和機１の外観を示す斜視図であり、空気調和機１から気流パネル１４０が取り外された状態を示している。
【００１９】
気流パネル１４０は横長の略板状の部材であり、その一端に回転軸である短軸１４１を有し、他端に係合孔１４２を有する。短軸１４１は内側に向かって押し込み可能であり、吹き出し口モジュール１０の枠体１００に設けられた軸穴１０１から取り外すことで、ユーザは、気流パネル１４０を空気調和機１本体から取り外すことができる。係合孔１４２は、空気調和機１本体側（枠体１００側）に取り付けられる後述の気流パネル回転ユニット１５０の係合軸１５１と係合する。
【００２０】
気流パネル１４０は、気流パネル回転ユニット１５０の係合軸１５１から回転方向の駆動力を得て、気流の上下方向（Ｚ軸に平行）の向きを調整するための回転角度の調整が行われる。気流パネル１４０は、略板形状の部材であり、内部に可動部分がほとんどない比較的単純な構造であるため、重量も軽く、ユーザは容易に着脱ができ清掃及び洗浄が容易である。
【００２１】
吹き出し口Ｂ内には、気流パネル１４０の奥に、左右方向の向きを変えることが可能な縦ルーバ１２２が複数設置されており、気流パネル１４０が取り外された状態では容易に外部から視認できる。また、吹き出し口Ｂ内には、中央部付近の上部に、イオン発生ユニット１１０が配置されている。
【００２２】
図１は、空気調和機１の外観を示す斜視図であり、図２の状態から、更に縦ルーバ１２２を複数備える風向調整ユニット１２０が取り外された状態を示している。図１及び図２から明らかになるように、空気調和機１は、風向調整ユニット１２０を吹き出し口Ｂ内の左右に並んで２つ備えている。風向調整ユニット１２０は、縦ルーバ１２２の向きにより、吹き出し口Ｂから室内へ吹き出す気流の左右方向の向きを調整する。吹き出し口Ｂの内部において、風向調整ユニット１２０が取り付けられる位置の奥側には、ガイドピラー１０６が縦向きに形成されている。
【００２３】
（風向調整ユニット１２０及び吹き出し口モジュール１０の概要）
次に、風向調整ユニット１２０の構成及び、風向調整ユニット１２０等を配置する枠体１００を有する吹き出し口モジュール１０の構成について、図６〜図１０を参照して詳細に説明される。
【００２４】
図６（ａ）は、吹き出し口モジュール１０を示す斜視図であり、吹き出し口モジュール１０を分解して示す。図６（ｂ）はその一部を拡大して示した部分拡大図である。吹き出し口モジュール１０は概略、枠体１００、イオン発生ユニット１１０、２つの風向調整ユニット１２０、駆動ユニット１３０、気流パネル１４０、気流パネル回転ユニット１５０とから構成されている。図７は、枠体１００に、イオン発生ユニット１１０、駆動ユニット１３０、左側の風向調整ユニット１２０、気流パネル回転ユニット１５０が取り付けられた状態を示す斜視図である。イオン発生ユニット１１０は、左右それぞれにイオン吹き出しのための開口部を備えた一体のユニットである。風向調整ユニット１２０は、枠体１００内の吹き出し口Ｂの底部の設置部１０２に対して着脱可能に嵌め込まれる。図８（ａ）は、風向調整ユニット１２０を拡大して示す斜視図であり、図８（ｂ）はその上面図、図８（ｃ）はその下面図である。なお、イオン発生ユニット１１０の数は、１つに限られるものではなく、複数であってもよい。
【００２５】
風向調整ユニット１２０は、支持板１２１の上に、複数の縦ルーバ１２２が吹き出し口Ｂの長手方向に沿って配列されて構成されている。複数の縦ルーバ１２２は、支持板１２１に対して起立し、支持板１２１に垂直な軸周りに、一定の角度の範囲内で揺動し得る。それぞれの軸にあたる部分は、風向調整ユニット１２０における最も奥寄り（Ｙ軸方向と逆方向）に位置しており、羽の先端にあたる部分は、手前側（Ｙ軸方向）に位置する。複数の縦ルーバ１２２は、各々羽の先端部分が連結バー１２３で繋がれており、これにより風向調整ユニット１２０において複数の縦ルーバ１２２の左右の向きが同じになるように揺動させられる。風向調整ユニット１２０の全体は、ほぼ左右対称に形成されている。
【００２６】
複数の縦ルーバ１２２のうち、風向調整ユニット１２０の両端に位置する２つの縦ルーバ１２２ａは、回動軸１２４を有し、縦ルーバ１２２ａ全体が回転運動する。一方、両端以外の縦ルーバ１２２ｂ（言い換えれば、両端に位置する縦ルーバ１２２ａで挟まれた縦ルーバ１２２ｂ）は、支持板１２１から略垂直に起立する軸部１２２１と、縦ルーバ１２２ｂの主要部分である羽根部１２２３と、軸部１２２１と羽根部１２２３との間の軟部１２２２とから構成されている。軸部１２２１の基部（根元部分）は、支持板１２１に固定されている。縦ルーバ１２２ｂが左右に振れていないときに、軟部１２２２及び羽根部１２２３は、軸部１２２１に略平行な板状の形状である。軸部１２２１と羽根部１２２３とは、軟部１２２２に対して相対的に肉厚の厚い柔軟性に乏しい部分（硬部）からなる。
【００２７】
縦ルーバ１２２ｂの軸に相当する軸部１２２１は、支持板１２１に対して固定されているが、軟部１２２２で縦ルーバ１２２ｂは左右に湾曲することができ、羽根部１２２３の左右の向きを変えることができる。このように、縦ルーバ１２２ｂは、簡易な構造で上記揺動運動（回転運動）をすることが可能なように構成されている。よって、風向調整ユニット１２０全体がコンパクトで軽量に構成され得る。
【００２８】
図８（ｃ）に示されるように、両端の縦ルーバ１２２ａの回動軸１２４は、支持板１２１の下側に突き抜けている。風向調整ユニット１２０が、枠体１００の設置部１０２に取り付けられた際に、いずれか一方の回動軸１２４の下端部が、駆動ユニット１３０の伝達軸１３１と係合するように構成されている。
【００２９】
（縦ルーバ１２２への駆動力の伝達）
図９は、駆動ユニット１３０の、可動部分のみを取り出して示した斜視図である。モータ１３３による回転方向に往復揺動する運動は、リンク１３２により２つの伝達軸１３１に伝えられる。２つの伝達軸１３１は、図６に示される駆動ユニット１３０において、上部に露出して突出する部品である。図７に示されるように、駆動ユニット１３０は、枠体１００の吹き出し口Ｂの中央下部に、設置部１０２において風向調整ユニット１２０が設置される面の裏側に接するように配置される。ここで、駆動ユニット１３０の左右方向における位置は、２つの風向調整ユニット１２０の間である。このことは、駆動ユニット１３０が、２つの風向調整ユニット１２０に挟まれて配置していることのみを意味するものでは無く、２つの風向調整ユニット１２０に挟まれる領域を少なくとも含むように配置していることをいう。
【００３０】
駆動ユニット１３０は、枠体１００に組み立てられた際に、２つの伝達軸１３１が、それぞれの設置部１０２に設けられた貫通穴１０３から突き出るように構成される。図６に示されるように、伝達軸１３１が配置される貫通穴１０３の位置は、右側の設置部１０２においては左端、左側の設置部１０２においては右端となる。つまり、吹き出し口モジュール１０において、吹き出し口Ｂの中央部付近に２つの伝達軸１３１が設けられている。
【００３１】
右側の設置部１０２に設置された風向調整ユニット１２０では、左端の回動軸１２４が、伝達軸１３１に係合し、右端の回動軸１２４には、なにも係合しない。左側の設置部１０２に設置された風向調整ユニット１２０では、右端の回動軸１２４が、伝達軸１３１に係合し、左端の回動軸１２４には、なにも係合しない。
【００３２】
以上のような構成により、２つの風向調整ユニット１２０の間に設けられた一つのモータ１３３（駆動ユニット１３０）によって、左右双方の風向調整ユニット１２０の縦ルーバ１２２の揺動運動を行わせることが可能となっている。従って、２つの風向調整ユニット１２０に対して、それぞれに駆動源を設ける必要がなく、低コストで左右方向の気流の制御を行うことが可能となる。
【００３３】
このように、吹き出し口Ｂ内に設けられた縦ルーバ１２２は、上述の構成により、一つのモータ１３３（駆動ユニット１３０）による揺動運動を可能としながら、２つの風向調整ユニット１２０に分かれて構成されており、それぞれが別途にまとまって着脱可能である。しかも、駆動力源や、左右双方の風向調整ユニット間の駆動力のリンク機構は、空気調和機１本体側に形成されているから、個々の風向調整ユニット１２０は軽量である。よって、ユーザは縦ルーバ１２２の取り外しを容易に行うことができ、また２つのユニットに分かれているため、吹き出し口Ｂ全体にわたる１つのユニットで構成する場合に比して小型、軽量であり、清掃若しくは洗浄作業もより容易である。
【００３４】
しかも、それぞれの風向調整ユニット１２０では、回動軸１２４が左右両側に形成されているため、互いに入れ替えても、枠体１００に装着が可能であって、そのようにしても縦ルーバ１２２の揺動運動のための駆動力を駆動ユニット１３０から伝達することができる。そのため、左右で形状の異なる風向調整ユニットを分割して設置する場合と比較して、部品の共通化がされるため、より低コストの空気調和機が実現できる。また、装着作業についてのユーザの利便性も高まる。
【００３５】
また、中央の駆動ユニット１３０から、左右に分けて駆動力を伝達するため、吹き出し口Ｂの一方の端部から駆動力を与える場合と比較して、全ての縦ルーバへより確実に駆動力を伝達できる。
【００３６】
（風向調整ユニット１２０に関するロック機構）
次に、風向調整ユニット１２０の着脱を可能とするロック機構について説明される。図６（ａ）及び図８に示されるように、ロック機構として、風向調整ユニット１２０の両端には、つまみ１２５と共に左右（Ｘ軸方向）にスライド可能なかんぬき１２６が設けられている。かんぬき１２６は、つまみ１２５のスライドにより風向調整ユニット１２０の内側に向けて押し込まれると、ばねにより外側に向けて付勢される。風向調整ユニット１２０が空気調和機１本体（枠体１００）に装着されている状態で、ユーザが付勢力に逆らって両端のつまみ１２５を風向調整ユニット１２０の内側に移動させると、吹き出し口モジュール１０の枠体１００に設けられたかんぬき穴１０４と、かんぬき１２６との係合が外れる。そうして、ユーザは風向調整ユニット１２０を空気調和機１本体（枠体１００）から取り外すことができる。また、風向調整ユニット１２０の空気調和機１本体（枠体１００）への取付けは、風向調整ユニット１２０を枠体１００の設置部１０２の奥側の部分で噛み合わせ、ロック機構について取り外しと逆の操作を行うことにより行うことができる。こうして、ユーザは風向調整ユニット１２０の着脱を確実に行うことができる。
【００３７】
なお、ロック機構は上記のものに限らず、かんぬきのスライド方向への付勢力は与えられず、単にかんぬきの位置により風向調整ユニット１２０の固定を行うようなものであってもよい。その場合も風向調整ユニット１２０の装着状態では、つまみ（かんぬき）にやや力を加えないとスライドしないようにロックされるようになっていることが望ましい。また、ロック機構が、風向調整ユニット１２０の側に設けられているものに限らず、空気調和機１本体側（枠体１００側）に設けられていてもよい。その場合、例えば、風向調整ユニット１２０の中央部で、支持板１２１を挟み込み固定する機構とすることができる。
【００３８】
（風向調整ユニット１２０に関するその他の構成）
図１０は、図７におけるＡ−Ａに対応する位置での、枠体１００及び風向調整ユニット１２０の断面図である。ただし、図７とは異なり、図９では風向調整ユニット１２０を、空気調和機１本体（枠体１００）から取り外す途中の状態が示されている。図８（ｃ）にも、風向調整ユニット１２０の対応するＡ−Ａ断面の位置が示される。図１０及び図８（ｃ）に示されるように、風向調整ユニット１２０の支持板１２１の下面には、左右方向の中央に突起部１２７が設けられている。風向調整ユニット１２０の突起部１２７は、風向調整ユニット１２０が空気調和機１本体（枠体１００）に装着されている際には、枠体１００の設置部１０２の中央付近に設けられた緩嵌穴１０５（図６（ｂ）参照）に、緩く嵌り込んでいる。そうしてユーザが、風向調整ユニット１２０の取り外しを行う際に、風向調整ユニット１２０が枠体１００の設置部１０２から少し浮いた状態であっても、突起部１２７は緩嵌穴１０５に嵌り込み続ける。従って、取り外しのときに、ユーザが風向調整ユニット１２０のロック機構を解除した際に、風向調整ユニット１２０が空気調和機１本体から落下してしまうことが防止される。なお、突起部１２７は、図１０に示されるように、やや奥側にカーブして形成されており、風向調整ユニット１２０の装着がスムーズになるように考慮されている。
【００３９】
更に、風向調整ユニット１２０が空気調和機１本体（枠体１００）に装着されている際に突起部１２７の先端により押下される、スイッチ１０７が枠体１００に設けられている構成となっている。スイッチ１０７の確実な押下のため、突起部１２７の先端形状は、横方向（Ｘ軸方向）にやや長いバー状であり、その中央部に小突起（リブ）があるような形状であることが望ましい。言い換えれば、突起部１２７を先端側から見た際に、Ｔ字形状となっていることが望ましい。
【００４０】
スイッチ１０７が押下されると、空気調和機１の制御部（不図示）は、スイッチ１０７からの信号により風向調整ユニット１２０が装着されていると判断する。両方の風向調整ユニット１２０が装着されている状態と判断されれば、空気調和機１の制御部は、空気調和機１の運転を可能とする。２つの風向調整ユニット１２０についてのいずれかのスイッチ１０７の押下が解除されると、空気調和機１の制御部は、両方の風向調整ユニット１２０が装着されている状態とは判断できない。この場合、空気調和機１の制御部は、空気調和機１の運転を許可しない。風向調整ユニット１２０が取り外されているときに空気調和機１が動作しないため、ユーザが過って動作中の空気調和機１の吹き出し口Ｂに手や異物等を入れてしまう可能性を低減できる。
【００４１】
〔実施形態２〕
本発明の他の実施形態が以下に説明される。なお、説明の便宜上、上記実施形態にて説明した部材と同じ機能を有する部材については、同じ符号を付記し、その説明を繰り返さない。以下の実施形態についても同様である。
【００４２】
実施形態２に係る空気調和機２は、図１〜１０に示された空気調和機１と同様の構造を有する。ただし、風向調整ユニット２２０及び駆動ユニットの構成が、空気調和機１とは異なる。図１１は、空気調和機２を示す斜視図である。空気調和機２の複数の縦ルーバも、実施形態１の風向調整ユニット１２０と同様に、左右２つに分離されている構成である。しかしながら、空気調和機２においては、左右２つの風向調整ユニット２２０間で、連結バー２２３が互いに直接連結し得るように構成されている。
【００４３】
空気調和機２における風向調整ユニット２２０の装着方法は以下の通りである。ユーザは、実施形態１に係る空気調和機１と同様にして、２つの風向調整ユニット２２０を空気調和機２本体に装着すると、更に、左右の風向調整ユニット２２０の連結バー２２３を端部の連結部２２８で互いに接続する。よって、空気調和機２の駆動ユニットの伝達軸２３１は１つでよく、内部のリンク１３２は不要となり、実施形態１の駆動ユニット１３０と比較すると構成が単純化される。図１１に示されるように、伝達軸２３１は、一方の設置部１０２にのみ配置される。実施形態２に係る空気調和機２によっても、実施形態１に記載の効果と同様の効果が得られる。
【００４４】
〔実施形態３〕
実施形態３に係る空気調和機３は、図１〜１０に示された空気調和機１と同様の構造を有する。ただし、風向調整ユニット３２０及び枠体の設置部３０２の構成が、空気調和機１とは異なる。図１２は、空気調和機３を示す斜視図である。空気調和機３の複数の縦ルーバも、実施形態１の風向調整ユニット１２０と同様に、左右２つの風向調整ユニット３２０に分離されている構成である。しかしながら、空気調和機３においては、風向調整ユニット３２０が支持板を有しない。従って、空気調和機３の設置部３０２は、実施形態１の設置部１０２と比較するとフラットである。
【００４５】
空気調和機３においては、ユーザが、それぞれの縦ルーバ１２２の根元部分を直接設置部３０２に差し込むようにして、風向調整ユニット３２０を空気調和機２本体に装着する。縦ルーバ１２２への駆動力の伝達は、実施形態１に係る空気調和機１の場合と同様である。空気調和機３の設置部３０２はよりフラットであるため、ユーザが吹き出し口Ｂの清掃を行うことが容易となる、また、実施形態３に係る空気調和機３によっても、実施形態１に記載の効果と同様の効果が得られる。
【００４６】
〔付記事項〕
上記各実施形態において、各部材を備えた吹き出し口モジュールにより一体化されて吹き出し口Ｂが構成される例が示された。しかしながら、例えば、吹き出し口Ｂの上側（Ｚ軸正方向）と下側（Ｚ軸負方向）とで別々の部材を組み立てて吹き出し口Ｂを構成するものであってもよい。
【００４７】
〔まとめ〕
本発明の態様１に係る空気調和機は、気流を吹き出す細長の吹き出し口と、前記吹き出し口に、着脱可能に設けられた複数の風向調整ユニットと、前記吹き出し口の、前記複数の風向調整ユニットの間に設けられた駆動ユニットと、を備え、前記風向調整ユニットは、前記吹き出し口の長手方向の前記気流の向きを調整するための複数の風向板（縦ルーバ１２２）を有し、前記駆動ユニットが、前記複数の風向調整ユニットの前記複数の風向板を回転させる構成を備えている。
【００４８】
上記の構成によれば、空気調和機本体から着脱可能で、ユーザの取り扱いが容易な風向調整ユニットを備える、清掃や部品交換などのメンテナンス性が改良された空気調和機が実現できる。
【００４９】
本発明の態様２に係る空気調和機は、上記態様１において、前記風向調整ユニットが、端部に、前記複数の風向板に回動力を伝える回動軸を有し、前記駆動ユニットは、回動力を出力する伝達軸を有し、前記回動軸が、前記伝達軸に係合する構成であってもよい。
【００５０】
上記の構成によれば、風向調整ユニットを空気調和機本体から着脱可能としつつも、風向板を回転運動させることができる空気調和機が実現できる。
【００５１】
本発明の態様３に係る空気調和機は、上記態様２において、前記複数の風向調整ユニットが、互いに入れ替えて前記吹き出し口に装着可能であってもよい。
【００５２】
上記の構成によれば、複数の風向調整ユニットを空気調和機本体に装着する際のユーザの利便性が向上し、また空気調和機本体から風向調整ユニットを着脱可能にする空気調和機を低コストで実現できる。
【００５３】
本発明の態様４に係る空気調和機は、上記態様２または３において、前記風向調整ユニットが、前記回動軸を両方の端部に有し、前記駆動ユニットが、前記伝達軸を複数有し、それぞれの伝達軸が異なる前記風向調整ユニットの前記回動軸に係合する構成であってもよい。
【００５４】
上記の構成によれば、複数の風向調整ユニットを入れ替えて空気調和機本体に装着したとしても、風向板を回転運動させることができる空気調和機が実現できる。
【００５５】
本発明の態様５に係る空気調和機は、上記態様２から４のいずれかにおいて、前記回動軸が、前記複数の風向板のうちの端部に設けられた風向板の回転軸と共通であってもよい。
【００５６】
上記の構成によれば、空気調和機本体から着脱可能な風向調整ユニットがコンパクトに構成された空気調和機が実現できる。
【００５７】
本発明の態様６に係る空気調和機は、上記態様５において、前記風向調整ユニットが、前記複数の風向板が設置される支持板を有し、前記複数の風向板のうちの端部に設けられた風向板以外の風向板が、軸部と、軟部と、羽根部とを有し、前記軸部の基部が前記支持板に固定されており、前記羽根部は前記軟部を介して前記軸部に接続されており、前記軟部が湾曲することにより、前記羽根部が回転する構成を備えていてもよい。
【００５８】
上記の構成によれば、空気調和機本体から着脱可能な風向調整ユニットがコンパクト、軽量に構成された空気調和機が実現できる。
【００５９】
本発明の態様７に係る空気調和機は、上記態様１から６のいずれかにおいて、前記風向調整ユニットが、前記複数の風向板が設置される支持板と、前記支持板の前記複数の風向板が設置される面と反対側の面から突出する突起部と、を有し、前記吹き出し口の前記風向調整ユニットの設置部には、前記突起部が嵌り込む穴（緩嵌穴１０５）が設けられている構成であってもよい。
【００６０】
上記の構成によれば、風向調整ユニットの空気調和機本体への着脱の際の落下が防止された空気調和機が実現できる。
【００６１】
本発明の態様８に係る空気調和機は、上記態様１から７のいずれかにおいて、前記風向調整ユニットは、前記複数の風向板が設置される支持板と、前記支持板の前記複数の風向板が設置される面と反対側の面から突出する突起部と、を有し、前記吹き出し口の前記風向調整ユニットの設置部には、前記突起部により押下されるスイッチが設けられている構成であってもよい。
【００６２】
上記の構成によれば、風向調整ユニットが取り外されているときに空気調和機が動作しないため、ユーザが過って動作中の空気調和機の吹き出し口に手や異物等を入れてしまう可能性を低減した空気調和機が実現できる。
【００６３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。更に、各実施形態にそれぞれ開示された技術的手段を組み合わせることにより、新しい技術的特徴を形成することができる。
【符号の説明】
【００６４】
１、２、３  空気調和機
１０  吹き出し口モジュール
１００  枠体
１０１  軸穴
１０２、３０２  設置部
１０３  貫通穴
１０４  かんぬき穴
１０５  緩嵌穴（穴）
１０６  ガイドピラー
１０７  スイッチ
１１０  イオン発生ユニット
１２０、２２０、３２０  風向調整ユニット
１２１  支持板
１２２、１２２ａ、１２２ｂ  縦ルーバ
１２２１  軸部
１２２２  軟部
１２２３  羽根部
１２３、２２３  連結バー
２２８  連結部
１２４  回動軸
１２７  突起部
１３０  駆動ユニット
１３１、２３１  伝達軸
１３２  リンク
１３３  モータ
１４０  気流パネル
１４１  短軸
１４２  係合孔
１５０  気流パネル回転ユニット
１５１  係合軸
２０  前側キャビネット
３０  リア側キャビネット
４０  貫流ファン
【図１】
2020098051.tif 000003
【図２】
2020098051.tif 000004
【図３】
2020098051.tif 000005
【図４】
2020098051.tif 000006
【図５】
2020098051.tif 000007
【図６】
2020098051.tif 000008
【図７】
2020098051.tif 000009
【図８】
2020098051.tif 000010
【図９】
2020098051.tif 000011
【図１０】
2020098051.tif 000012
【図１１】
2020098051.tif 000013
【図１２】
2020098051.tif 000014